(57)【要約】【課題】肉厚の金属製平板で形成されるコンロ用の天板４において、天板に開設した開口６，１１からの煮こぼれの落下を別部材を用いずに防止できるようにする。【解決手段】開口６，１１の周縁部分１５，１６を、下面側から肉を削って薄肉にする。薄肉化された周縁部分１５，１６に対するバーリング加工により、開口６，１１の周縁に、天板４の上面から立ち上がる筒状突起６ａ，１１ａを形成する。また、天板４の後辺部分の中間部分１７も肉薄化し、中間部分１７を天板４の上面上に膨出するように絞り加工し、により、中間部分１７で上方から覆われる、コンロ本体２内に連通する通気口１８を設ける。【選択図】図２
2005180713.tif 000002
【特許請求の範囲】
【請求項１】
コンロ本体を上方から覆う金属製平板で形成されるコンロ用天板であって、天板の上面の所定領域に、文字、図形、模様等から成る標識を付すものにおいて、
天板の前記所定領域を、天板の下面側の肉を削って肉薄にし、該所定領域に対するプレス加工により、標識を天板の上面に盛り上がるように刻印することを特徴とするコンロ用天板。
【請求項２】
コンロ本体を上方から覆う金属製平板で形成されるコンロ用天板であって、開口を備えるものにおいて、
天板の前記開口の周縁部分を、天板の下面側の肉を削って肉薄にし、この周縁部分に対するプレス加工により、前記開口の周縁に天板の上面から立ち上がる筒状突起を形成することを特徴とするコンロ用天板。
【請求項３】
コンロ本体を上方から覆う金属製平板で形成されるコンロ用天板において、
天板の後辺部分の左右両端部を除く中間部分を、天板の下面側の肉を削って肉薄にし、該中間部分を天板の上面上に膨出するようにプレス加工して、該中間部分で上方から覆われる、コンロ本体内に連通する通気口を設けることを特徴とするコンロ用天板。
【発明の詳細な説明】
【技術分野】
【０００１】
本発明は、コンロ本体を上方から覆うコンロ用天板に関し、特に金属製平板で形成される天板に関する。
【背景技術】
【０００２】
従来、コンロ用天板は、一般的に、プレス成形された鋼板で形成されている。このような鋼板製の天板は、剛性確保のため、外周縁部やバーナ用開口の開口縁部等が他部より隆起する形状に形成される(例えば、特許文献１参照。)。その結果、天板がフラットにならず、また、重厚な感じも得られず、ユーザに安っぽい感じを与えてしまう。
【０００３】
そこで、本願出願人は、先に、特願２００３−４０５２３号により、肉厚の金属製(例えば、アルミニウム製)の平板で形成されるコンロ用天板を提案している。このものでは、天板を構成する平板自体が高剛性であるため、天板に剛性アップ用の隆起部を形成する必要がなく、天板がフラットになり、且つ、視覚的に重厚な感じになり、高級感が得られる。
【特許文献１】特開２００２−２５７３５８号公報
【発明の開示】
【発明が解決しようとする課題】
【０００４】
ところで、上記先願の平板製天板において、上面に文字、図形、模様等から成る標識を付す場合、上面からの型押しにより標識を刻印することが考えられる。然し、これでは、標識が窪みになって、そこに汚れが溜まり易く、体裁を損なう。また、天板の上面に標識を印刷したフィルムを貼着することも考えられるが、これでは、清掃中にフィルムが剥がれることがあり、せっかくの高級感を損なう。
【０００５】
また、天板には、コンロ本体に設けたバーナを臨ませるバーナ用開口や、天板上に配置する操作摘みを連結する操作軸の挿通用開口といった開口が形成されており、天板上に落下した煮こぼれが開口からコンロ本体内に流入することを防止することが必要になる。そこで、上記先願の平板製天板では、開口の周縁部に環状のパッキンを装着して、天板の上面から盛り上がるパッキンの部分で開口を囲う堤部を構成し、天板上に落下した煮こぼれが開口からコンロ本体内に流入することを防止している。然し、これでは、部品点数が増してコストが高くなる。
【０００６】
また、コンロ本体内のバーナの燃焼用空気を取入れたり、グリル付きコンロではグリルからの排気を排出するために、コンロ本体内に連通する通気口を天板の後部に設けることがある。上記先願の平板製天板においても、天板の後部に通気口用の開口を形成することが考えられるが、この場合には、通気口からの異物の落下を防止するガード部材を天板上に設けることが必要になり、部品点数が増してコストが高くなる。
【０００７】
本発明は、以上の点に鑑み、天板の上面に刻印方式で上方に盛り上がる標識を付して、標識に汚れが溜まることを防止できるようにした平板製のコンロ用天板を提供することを第１の課題とし、また、開口からの煮こぼれの流入をパッキン等の別部材を用いずに防止できるようにした平板製のコンロ用天板を提供することを第２の課題とし、更に、天板の後部に通気口を設けて、且つ、通気口からの異物の落下を別部材の用いずに防止できるようにした平板製のコンロ用天板を提供することを第３の課題としている。
【課題を解決するための手段】
【０００８】
本発明の第１の特徴によれば、上記第１の課題を解決するために、コンロ本体を上方から覆う金属製平板で形成されるコンロ用天板であって、天板の上面の所定領域に、文字、図形、模様等から成る標識を付すものにおいて、天板の前記所定領域を、天板の下面側の肉を削って肉薄にし、該所定領域に対するプレス加工により、標識を天板の上面に盛り上がるように刻印している。
【０００９】
また、本発明の第２の特徴によれば、上記第２の課題を解決するために、コンロ本体を上方から覆う金属製平板で形成されるコンロ用天板であって、開口を備えるものにおいて、天板の前記開口の周縁部分を、天板の下面側の肉を削って肉薄にし、この周縁部分に対するプレス加工により、前記開口の周縁に天板の上面から立ち上がる筒状突起を形成している。
【００１０】
更に、本発明の第３の特徴によれば、上記第３の課題を解決するために、コンロ本体を上方から覆う金属製平板で形成されるコンロ用天板において、天板の後辺部分の左右両端部を除く中間部分を、天板の下面側の肉を削って肉薄にし、該中間部分を天板の上面上に膨出するようにプレス加工して、該中間部分で上方から覆われる、コンロ本体内に連通する通気口を設けている。
【００１１】
本発明によれば、何れの特徴のものにおいても、金属製平板で形成される天板の所要部分を薄肉にすることで、この部分に板金と同様のプレス加工を施すことが可能になる。また、天板の下面側の肉を削って薄肉化するため、薄肉化による窪みは天板の下面に存在するだけで、外観には現われず、天板の体裁が良好に保たれる。
【００１２】
そして、本発明の上記第１の特徴の如く標識を付す領域を薄肉にすれば、この領域に下面側からの型押し等のプレス加工を施すことにより、標識を天板の上面に盛り上がるようにはっきりと刻印することができる。これによれば、上面側からの型押しで標識を窪みになるように刻印するものと異なり、標識に汚れが溜まることがなく、清掃が容易になると共に、フィルムを貼着する場合のようなフィルムの剥がれによる体裁の悪化も生じず、商品性が向上する。
【００１３】
また、本発明の上記第２の特徴の如く天板の開口周縁部を薄肉にすれば、開口周縁部にバーリング等のプレス加工を施すことにより、開口の周縁に天板の上面から立ち上がる筒状突起を容易に形成することができる。これによれば、筒状突起が開口を囲う堤部として機能し、開口からの煮こぼれの流入をパッキン等の別部材を用いずに防止でき、部品点数を削減してコストダウンを図ることができる。
【００１４】
また、本発明の上記第３の特徴の如く天板の後辺部分の中間部分を薄肉にすれば、この中間部分に絞り等のプレス加工を施すことにより、中間部分を天板の上面上に膨出させて、その下側に通気口を確保し、この通気口を中間部分で上方から覆うことができる。これによれば、通気口からの異物の落下を別部材の用いずに防止でき、部品点数を削減してコストダウンを図ることができる。
【発明を実施するための最良の形態】
【００１５】
以下、本発明の実施形態を図面を参照して説明する。図１は本発明の実施形態の天板を具備するコンロを示す斜視図、図２は図１のＩＩ−ＩＩ線で切断したコンロの切断面図、図３は実施形態の天板の平面図、図４は図３のＩＶ−ＩＶ線で切断した中間部省略の拡大切断面図である。
【００１６】
図１は、システムキッチンのカウンタトップ１(図２参照)に組み込むドロップイン式コンロを示している。このコンロは、図２に示す如く、上面を開放面とする箱形のコンロ本体２を備えている。コンロ本体２の上縁には外曲げフランジ３が形成されており、コンロ本体２をカウンタトップ１に開設したコンロ開口１ａに落とし込んだ状態で、外曲げフランジ３をコンロ開口１ａの開口縁部に掛止して、コンロ本体２をカウンタトップ１に吊持させている。そして、天板４によりコンロ本体２を外曲げフランジ３に亘って上方から覆うようにしている。尚、外曲げフランジ３の周縁部にはパッキン３ａが装着されており、外曲げフランジ３をパッキン３ａを介してカウンタトップ１に着座させている。
【００１７】
コンロ本体３内には、左右と中間部後方とに位置させて、熱源たる３個のバーナ５が配置されている。尚、左右のバーナ５は、親バーナ５ａとその内方の子バーナ５ｂとを有する親子バーナで構成されている。天板４には、図３に示す如く、これらバーナ５を臨ませる３個のバーナ用開口６が開設されている。そして、天板４上に、各バーナ用開口６を囲うようにして五徳７を載置すると共に、各バーナ用開口６内に張り出す汁受け皿８を載置している。また、天板４上に、前側中央部に位置させて、３個のバーナ５に対応する３個の操作摘み９を配置している。各操作摘み９は、図２に示されているように、コンロ本体２に設けた各バーナ５用のバルブユニット１０から上方にのびる操作軸１０ａに連結されている。そして、天板４には、３個の操作摘み９に対応させて、夫々操作軸１０ａを挿通する３個の操作用開口１１が開設されている。
【００１８】
天板４は、１枚の金属製、例えば、アルミニウム製の比較的肉厚(例えば、厚さ６ｍｍ)の平板で形成されている。天板４の下面周縁部には、後述する通気口１８の部分を除いてパッキン４ａが取付けられており、カウンタトップ１のコンロ開口１ａの開口縁部に掛止されるコンロ本体２の外曲げフランジ３の外側において、天板４をパッキン４ａを介してカウンタトップ１に着座させている。
【００１９】
天板４の上面には、前部右隅に位置させて、標識としてのロゴマーク１２と、各操作用開口１１の周囲に位置させて、標識としての点状と弧状の操作指標１３が付されている。尚、操作指標１３の点状部は消火位置を示している。これら標識１２，１３を付す天板４の領域、即ち、天板４の前部右隅の領域１４と、３個の操作用開口１１の開設箇所を含む天板４の前部中央の領域１５は、図４に示す如く、下面側の肉が削られて薄肉になっており、板金と同様のプレス加工を施すことができる。そこで、この領域１４，１５に対する下面側からの型押しによるプレス加工を行い、標識１２，１３を天板４の上面に盛り上がるように刻印している。
【００２０】
ところで、標識を付す手法として、標識を印刷したフィルムを天板４の上面に貼着することも考えられるが、これでは清掃等でフィルムが剥がれて体裁を損なうおそれがある。また、天板４の上面側からの型押しで標識を刻印することも考えられるが、これでは、標識が窪んで汚れが溜まり易くなる。これに対し、本実施形態では、天板４の上面に盛り上がるように標識１２，１３を刻印しているため、上記の不具合を解消できる。また、本実施形態では、標識１２，１３を付す領域１４，１５を薄肉化しているため、下面側からの型押しでも、標識１２，１３をはっきりと刻印できる。更に、下面側の肉を削って薄肉化するため、薄肉化による窪みは天板４の上面に現われず、天板４の体裁は良好に維持される。尚、標識は上記ロゴマーク１２や操作指標１３に限られるものではなく、他の文字や図形や模様であっても良い。
【００２１】
また、本実施形態では、薄肉化された天板４の前部中央の領域１５において、各操作用開口１１の周縁部に対するプレス加工(バーリング加工)を行い、各操作用開口１１の周縁に、天板４の上面から上方に立ち上がる筒状突起１１ａを形成している。更に、各バーナ用開口６の周縁部分１６も、図２に示す如く、下面側の肉を削って薄肉にし、この周縁部分１６に対するバーリング加工により、各バーナ用開口６の周縁にも、天板４の上面から上方に立ち上がる筒状突起６ａを形成している。これら筒状突起６ａ，１１ａは、各開口６，１１を囲う堤部として機能し、天板４上に落下した煮こぼれが開口６，１１からコンロ本体２内に流入することが防止される。
【００２２】
また、天板４の後辺部分の左右両端部を除く中間部分１７も、図２に示す如く、下面側の肉を削って薄肉にしている。そして、この中間部分１７に対するプレス加工(絞り加工)により、中間部分１７を天板４の上面上に膨出させ、該中間部分１４の下側に、コンロ本体２内に連通する通気口１８を確保して、バーナ５の燃焼用空気を通気口１８から取入れられるようにしている。この場合、天板４の後辺部分の中間部分１７は通気口１８を上方から覆うフードとして機能し、煮こぼれ等の異物が通気口１８からコンロ本体２内に落下することが防止される。
【００２３】
尚、本実施形態の通気口１８は燃焼用空気を取り入れるためのものであるが、グリル付きのコンロにおいては、通気口１８をグリルからの排気を排出するためのものとすることも可能である。また、上記したドロップイン式コンロに限らず、卓上式コンロ用の天板としても同様に本発明を適用できる。
【図面の簡単な説明】
【００２４】
【図１】本発明の実施形態の天板を具備するコンロを示す斜視図。
【図２】図１のＩＩ−ＩＩ線で切断したコンロの切断面図。
【図３】実施形態の天板の平面図。
【図４】図３のＩＶ−ＩＶ線で切断した中間部省略の拡大切断面図。
【符号の説明】
【００２５】
２…コンロ本体、４…天板、５…バーナ、６，１１…開口、６ａ，１１ａ…筒状突起、１２…ロゴマーク(標識)、１３…操作指標(標識)、１４，１５…標識を付する領域、１６…開口の周縁部分、１７…天板の後辺中間部分、１８…通気口。
【図１】
2005180713.tif 000003
【図２】
2005180713.tif 000004
【図３】
2005180713.tif 000005
【図４】
2005180713.tif 000006